(57)【要約】  医療用活栓は、円筒状の本体１０１と、本体１０１の側面に接続された第１管路１１１、第２管路１１２及び第３管路１１３と、本体１０１の内周面により外周面が支持され、本体１０１に対して相対的に回転可能な柱状の栓体１０２とを備えている。第３管路１１３は、第３管路内１１３を区画する隔壁１３３を有している。栓体１０２は、その外周面に設けられた溝部１２１を有している。第１管路１１１と第２管路１１２とは、栓体１０２を第１の位置とした際に、隔壁１３３の外周面と第３管路内１１３の内壁面により形成される第３通路１２７と、溝部１２１と本体１０１の内壁面とにより形成される第４通路１２８とにより接続される。
2017150125.tif 000002
【特許請求の範囲】
【請求項１】
円筒状の本体と、
前記本体の側面に周方向に互いに間隔をおいてそれぞれ接続された第１管路、第２管路及び第３管路と、
前記本体の内周面により外周面が支持され、前記本体に対して相対的に回転可能な柱状の栓体とを備え、
前記第３管路は、前記第３管路内を区画する隔壁を有し、
前記栓体は、その外周面に設けられた溝部を有し、
前記第１管路と前記第２管路とは、前記栓体を第１の位置とした際に、前記溝部と前記本体の内壁面とにより構成され、前記第１管路と前記第３管路とを接続する第１流路と、前記溝部と前記本体の内壁面とにより構成され、前記第２管路と前記第３管路とを接続する第２流路と、前記隔壁の外周面と前記第３管路の内壁面とにより構成され、前記第１流路と前記第２流路とを接続する第３流路と、前記溝部と前記隔壁の前記本体側の端面とにより構成され、前記第１流路と前記第２流路とを接続する第４流路とにより接続される、医療用活栓。
【請求項２】
前記栓体を前記第１の位置とした場合に、前記溝部における前記第１流路となる部分の延長線は、前記隔壁の前記第１管路側の側面に達し、前記溝部における前記第２流路となる部分の延長線は、前記隔壁の前記第２管路側の側面に達する、請求項１に記載の医療用活栓。
【請求項３】
前記栓体を前記第１の位置とした場合に、前記溝部における前記第１流路となる部分は、前記隔壁と交差し、前記第３管路に向かう方向に延びている、請求項１に記載の医療用活栓。
【請求項４】
前記第３流路は、前記第１管路側の第１の部分と、前記第２管路側の第２の部分とを有し、
前記栓体を前記第１の位置とした場合に、前記溝部における前記第１流路となる部分の前記第３管路側の端部は、前記第３流路の第１の部分を前記本体内に延長した範囲内に位置する、請求項１に記載の医療用活栓。
【請求項５】
前記第３管路は、前記本体側に向かって次第に内径が小さくなる縮径部を有している、請求項１〜４のいずれか１項に記載の医療用活栓。
【請求項６】
前記第３管路における前記本体側の端部の幅は、前記溝部の幅以上である、請求項１〜５のいずれか１項に記載の医療用活栓。
【請求項７】
前記溝部の幅は１．５ｍｍ以上、４．０ｍｍ以下である、請求項６に記載の医療用活栓。
【請求項８】
前記第３管路は、前記本体と反対側の端部からオスコネクタを挿入可能であり、
挿入された前記オスコネクタの先端は、前記隔壁の端面と当接する、請求項１〜７のいずれか１項に記載の医療用活栓。
【請求項９】
前記第１管路は前記本体側に向かって縮径している、請求項１〜８のいずれか１項に記載の医療用活栓。
【請求項１０】
前記第１の位置において、前記第１流路の外側端部は、前記第１管路の端部下面よりも低い位置となるように設けられている、請求項１〜９のいずれか１項に記載の医療用活栓。
【発明の詳細な説明】
【技術分野】
【０００１】
本開示は医療用活栓に関し、特に薬液の注入に用いることができる医療用活栓に関する。
【背景技術】
【０００２】
輸液回路及び血液回路等の医療用回路に、流路を切り換えるための三方活栓等の医療用活栓が接続されている場合がある。三方活栓を接続することにより、例えば、点滴等の際に、主流路を流れる薬液に側流路から別の薬液を容易に導入することができる。【０００３】
一般的な三方活栓は、直線的に配置された第１の管路及び第２の管路と、これに交差する方向に配置された第３の管路とを有している。３つの管路は円筒形の本体に接続され、本体の内側には円柱状の栓体が回転可能に挿入されている。栓体には内部を貫通するＴ字状の流通孔が設けられており、栓体を回転させて流通孔の位置を調整することにより、３つの管路の間を流通状態にしたり、遮断状態にしたりすることができる（例えば、特許文献１を参照。）。【０００４】
しかし、このような三方活栓は、栓体を貫通するＴ字状の流通孔によってデッドスペースが生じるため、例えば第３の管路から注入した薬液の一部がデッドスペースに滞留してしまう。【０００５】
薬液の滞留を防止することを目的として、栓体の外周面に溝を設け、第１の管路からの薬液により第３の管路をフラッシングする構成の三方活栓が検討されている（例えば、特許文献２を参照。）。【０００６】
しかし、栓体の外周面に溝部を設けた場合においても、第３管路の本体側の部分にしか薬液が流れず、第３管路全体をフラッシングすることは困難である。このため、薬液の滞留を解消する効果が十分ではない。三方活栓に限らず他の医療用活栓についても同様である。【０００７】
そこで、薬液の滞留を防止することを目的として、第３の管路内に隔壁を設け、第１の管路から流れてきた薬液や血液が隔壁を乗り越えて、第２の管路に流れるような構成の三方活栓が検討されている（例えば、特許文献３を参照。）。
【先行技術文献】
【特許文献】
【０００８】
【特許文献１】特開２００５−０４６３４９号公報
【特許文献２】特開２００８−５１１３７１号公報
【特許文献３】特開２０１０−１４２４３８号公報
【発明の概要】
【発明が解決しようとする課題】
【０００９】
しかしながら、従来の三方活栓は、第１の管路から第２の管路に流れる薬液等が隔壁を乗り越えなければ、第１の管路から第２の管路に流れることができない。このため、隔壁によって薬液の流れが一旦堰き止められ、第２の管路への流量が減少してしまい、第２の管路の末端に接続されたカテーテル等を通して、患者の体内に薬液を十分に投与することができないという問題がある。【００１０】
本開示の課題は、管路内における薬液の滞留が生じにくく、第２の管路へ流れる薬液等の流量が減少しにくい医療用活栓を実現できるようにすることである。
【課題を解決するための手段】
【００１１】
医療用活栓の一態様は、円筒状の本体と、本体の側面に周方向に互いに間隔をおいてそれぞれ接続された第１管路、第２管路及び第３管路と、本体の内周面により外周面が支持され、本体に対して相対的に回転可能な柱状の栓体とを備え、第３管路は、第３管路内を区画する隔壁を有し、栓体は、その外周面に設けられた溝部を有し、第１管路と第２管路とは、栓体を前記第１の位置とした際に、溝部と本体の内壁面とにより構成され、第１管路と第３管路とを接続する第１流路と、溝部と本体の内壁面とにより構成され、第２管路と第３管路とを接続する第２流路と、隔壁の外周面と第３管路の内壁面とにより構成され、第１流路と第２流路とを接続する第３流路と、溝部と隔壁の本体側の端面とにより構成され、第１流路と第２流路とを接続する第４流路とにより接続される。【００１２】
このような構成とすることにより、栓体の第１の位置において、第３流路だけでなく第４流路によっても第１管路と第２管路とが接続されるため、第１管路から第２管路への流量減少を防止できる。また、第３流路を流れる液により第３管路を十分にフラッシングすることも可能となる。【００１３】
医療用活栓の一態様において、栓体を第１の位置とした場合に、溝部における第１流路となる部分の延長線は、隔壁の第１管路側の側面に達し、溝部における第２の流路となる部分の延長線は、隔壁の第２管路側の側面に達するようにしてもよい。また、栓体を第１の位置とした場合に、溝部における第１流路となる部分は、隔壁と交差する方向に延びていてもよい。このようにすることにより、第１流路と第２流路との間において、薬液をさらに滞留しにくくすることができる。【００１４】
医療用活栓の一態様において、第３流路は、第１管路側の第１の部分と第２管路側の第２部分とを有し、栓体を第１の位置とした場合に、溝部における第１流路となる部分の第３管路側の端部は、第３流路の第１の部分を本体内に延長した範囲内に位置するようにしてもよい。このような構成とすることにより第１流路から第３流路へ液が十分に流れるようにすることができる。【００１５】
医療用活栓の一態様において、第３管路は、本体側に向かって次第に内径が小さくなる縮径部を有していてもよい。縮径部を設けることにより、第３管路内に段差が生じず、薬液の滞留をより生じにくくすることができる。【００１６】
医療用活栓の一態様において、溝部の幅は、第３管路における本体側の端部の幅以上としてもよい。このような構成とすることにより、第３管路を十分にフラッシングすることが可能となる。この場合、溝部の幅は１．５ｍｍ以上、４．０ｍｍ以下とすることができる。【００１７】
医療用活栓の一態様において、第３管路は、本体と反対側の端部からオスコネクタを挿入可能であり、挿入されたオスコネクタの先端は、隔壁の端面と当接するようにしてもよい。これにより、隔壁がオスコネクタの挿入深さを制限するストッパとなり、オスコネクタの接続が容易となると共に、弁体の脱落を生じにくくすることができる。【００１８】
医療用活栓の一態様において、第１管路は本体側に向かって縮径していてもよい。このような構成とすることにより、第１管路における液の滞留を少なくすることができる。【００１９】
医療用活栓の一態様において、第１の位置において、第１流路の外側端部は、第１管路の端部下面よりも低い位置となるように設けられていてもよい。このような構成とすることにより、位置合わせのずれが生じた場合にも第１の管路における液の滞留が生じにくくすることができる。
【発明の効果】
【００２０】
本開示の医療用活栓によれば、管路内における薬液の滞留を生じにくくすることができる。
【図面の簡単な説明】
【００２１】
【図１】図１は一実施形態に係る医療用活栓を示す斜視図である。
【図２】図２は図１のII−II線における断面図である。
【図３】図３は図２のIII−III線における断面図である。
【図４】図４は栓体が第１の位置にある場合を示す断面図である。
【図５】図５は栓体が第２の位置にある場合を示す断面図である。
【図６】図６は第１流路の部分を拡大して示す断面図である。
【図７】図７は栓体の変形例を示す断面図である。
【図８】図８は医療用活栓の変形例を示す断面図である。
【発明を実施するための形態】
【００２２】
図１〜３に示すように、本実施形態の医療用活栓は三方活栓であり、円筒状の本体１０１と、本体１０１の側面に周方向に互いに間隔をおいて接続された第１管路１１１、第２管路１１２及び第３管路１１３と、本体１０１の内周面により外周面が支持され、本体１０１に対して相対的に回転可能な円柱状の栓体１０２とを有している。
【００２３】
本実施形態の三方活栓は、第１管路１１１と第２管路１１２とが、本体１０１を挟んで直線的に設けられており、第３管路１１３は、第１管路１１１及び第２管路１１２と直交する方向に設けられている。図１においては、第１管路１１１がメスルアコネクタであり、第２管路１１２がカプラ付オスルアコネクタであり、第３管路１１３が弁体１３４を有するニードルレスコネクタである例を示している。本実施形態の三方活栓は任意の方向に配置して使用することができるが、以下においては、第３管路１１３を上側に向けて配置されているとして説明を行う。また、各管路について、本体１０１と接続されている側を基端、反対側を末端として説明する。
【００２４】
第３管路１１３の基端部には、筒状の本体１０１の軸方向に沿って第３管路１１３を２つの部分に区画する隔壁１３３が設けられている。栓体１０２は、外周面に設けられた溝部１２１を有している。栓体１０２はハンドル１０５と一体となっており、ハンドル１０５と共に回転させることができる。
【００２５】
図４に示すように、栓体１０２を本体１０１に対して相対回転させて第１の位置とした際に、溝部１２１と本体１０１の内壁とにより第１管路１１１と第３管路１１３とを接続する第１の通路１２３と、第２管路１１２と第３管路１１３とを接続する第２流路１２４とが形成される。また、隔壁１３３の外周面と第３管路１１３の内壁面とにより第１流路１２３と第２流路１２４とを接続する第３流路１２７が形成され、溝部１２１と隔壁１３３の本体１０１側の端部とにより第１流路１２３と第２流路１２４とを接続する第４流路１２８が形成される。
【００２６】
このため、第１流路１２３と第２流路１２４とは、第３管路１１３内を通過する第３流路１２７により接続されると共に、本体１０１内を通過する第４流路１２７によっても接続される。さらに、第３流路１２７は、隔壁１３３により第１管路１１１側の第１部分１３１と第２管路１１２側の第２部分１３２とに区切られている。第３流路１２７を流れる薬液等は、第１部分１３１と第２部分１３２とを通過する。
【００２７】
図５に示すように、栓体１０２を第１の位置から１８０度程度回転させた第２の位置とすることにより、第１管路１１１と第２管路１１２とは、溝部１２１と本体１０１の内壁面とにより形成される第５流路１２９により接続されるが、第３管路１１３とは接続されず第３流路１２７は閉鎖される。なお、栓体１０２を第１の位置から時計回りに９０度程度回転させた第３の位置とすることにより、第１管路１１１と第３管路１１３とを接続することができ、反時計回りに９０度程度回転させた第４の位置とすることにより第２管路１１２と第３管路１１３とを接続することができる。
【００２８】
栓体１０２を第１の位置として、第１管路１１１から第２管路１１２側へ薬液等を流す場合に、第４流路１２８が塞がれ、第３管路１１３に設けられた第３流路１２７だけが開通していると、流路の抵抗が大きくなり、第２管路１１２への流量が減少してしまう。しかし、本実施形態の三方活栓は、第３流路１２７だけでなく第４の流路１２８によっても第１管路１１１と第２管路１１２とが接続されているため、第１管路１１１から第２管路１１２への流量を確保し、流量減少を発生しにくくできる。第１流路１２３から第３流路１２７に流れ込んだ薬液は、第１部分１３１側を末端側に流れ、第３管路１１３の末端側において隔壁１３３を乗り越え第２部分１３２を通って第２流路１２４へ流れる。このため、隔壁１３３が無い場合と比べて、第３管路１１３の全体をフラッシングすることができる。従って、第３管路１１３から別の薬液を注入した場合に、第３管路１１３から注入した薬液が第３管路１１３内にほとんど滞留しないようにできる。
【００２９】
図３に示すように、第３管路１１３の基端部における軸方向に沿った幅は、第１流路１２３及び第２流路１２４である溝部１２１の幅と一致している。このため、第１管路１１１側から第１流路１２３を流れてきた第１の薬液は、第４流路１２８側だけでなく、第３流路１２７の第１部分１３１内へもスムーズに導かれる。また、第２部分１３２内から第２流路１２４へ流れる。このため、第３管路１１３内における薬液の滞留をより生じにくくすることができる。なお、三方活栓は輸液、麻酔及び経腸栄養等に使用され、それぞれの用途で適切な流量を確保するために溝部１２１の幅は１．５ｍｍ〜４．０ｍｍであることが好ましく、本体側の端部の幅は１．５ｍｍ〜４．０ｍｍであることが好ましい。
【００３０】
なお、上記のような寸法は特に限定されるものでなく、用途によって適宜変更することができる。
【００３１】
第３管路１１３には、末端側から基端側に向かって次第に内径が小さくなる縮径部１３５を設けることができる。縮径部１３５を設けることにより、第１流路１２３及び第２流路１２４である溝部１２１の幅に合わせて狭くなった基端側と、注射筒等が挿入できる内径を有する末端側とを段差無く接続することができ、第３流路１２７を流れる液量を十分に確保でき、薬液の滞留をより生じにくくすることができる。
【００３２】
第３管路１１３にオスルアコネクタを挿入する場合、隔壁１３３は、オスルアコネクタの挿入深さを制限するストッパとすることができる。この場合、オスルアコネクタを適切な位置まで挿入した際に、オスルアコネクタの先端が、隔壁１３３の末端側の端面と当接するように設計すればよい。例えば、標準的なカプラ付オスルアコネクタの場合、４．０ｍｍ〜８．０ｍｍ程度挿入できるようにすることが好ましい。
【００３３】
また、隔壁１３３の末端側は半球状等の曲面形状を有することが好ましい。このように構成することで、末端側が角形状である場合に比べて第３管路１１３内での滞留を防止しやすくなる。
【００３４】
本実施形態において、栓体１０２を第１の位置とした状態において、図４に示すように、溝部１２１の第４流路１２８を構成する頂上部は平坦となっていることが好ましい。このような構成とすることにより、図５に示すように栓体１０２を第１の位置から１８０度回転させた第２の位置とした場合に、第５流路１２９の中間部に大きく盛り上がった凸部が生じている場合と比べて、第５流路１２９にボトルネックが生じにくく、第１管路１１１から第２管路１１２への十分な流量を確保できる。なお、頂上部は、完全に平らではなく若干の膨らみが設けられていてもよい。例えば、本体１０１の内周とほぼ平行な曲面等とすることができる。少なくとも、第１流路１２３である斜面と頂上部との接続部分及び第２流路１２４である斜面と頂上部との接続部分は、第３流路１２７方向へ伸びる曲面となっていた方が好ましい。このように構成することで、第３流路への流れが促され、第１管路１１１から第２管路１１２への十分な流量を確保できる。
【００３５】
また、図４に示すように、第１の位置において、第１流路１２３の上端部は、第１管路１１１の基端における上側の端部よりも上側に設けられることが好ましい。このように構成することで、第１部分１３１への流れが促され、その結果滞留を生じにくくすることができる。
【００３６】
なお、三方活栓は輸液、麻酔及び経腸栄養等に使用され、それぞれの用途で適切な流量を確保するために本体１０１の内径Φは４．５ｍｍ〜１０．５ｍｍとすることができる。栓体１０２を第１の位置とした際に、第３管路１１３を通る薬液の量を十分に確保するために、第４流路１２８における溝部１２１の底面と隔壁１３３の本体１０１側の端面との最小間隔ｄ１は、０．８ｍｍ〜２．８ｍｍ程度とすることが好ましい。ｄ１をこのような値とすることにより、栓体１０２を第２の位置とした際に、第１管路１１１と第２管路１１２との間の流量も十分に確保できる。また、溝部１２１の最大高低差ｈを２．０ｍｍ〜５．０ｍｍ程度とすることもできる。
【００３７】
栓体１０２を第１の位置とした際に、第１流路１２３及び第２流路１２４の流量を確保するために、第１流路１２３及び第２流路１２４における溝部１２１の底面と本体１０１の内壁面との最小間隔ｄ２及びｄ３は、１．０ｍｍ〜２．５ｍｍ程度とすることが好ましい。ｄ２及びｄ３をこのような値とすることにより、栓体１２０を第２の位置とした際に、第１管路１１１と第２管路１１２との間の流量も十分に確保できる。
【００３８】
なお、上記のような寸法は特に限定されるものでなく、用途によって適宜変更することができる。
【００３９】
図４に示すように、栓体１０２を第１の位置とした状態において、溝部１２１における第１流路１２３を構成する部分の延長線が、隔壁１３３の第１管路１１１側の側面の最下端に達し、第２流路１２４を構成する部分の延長線が、隔壁１３３の第２管路１１２側の側面の最下端に達するようにできる。栓体１０２を第２の位置とした際に十分な流量を確保できるように第４流路１２８を大きくすると、栓体１０２を第１の位置とした場合に、第１管路１１１から第２管路１１２へ流れる薬液の大部分が隔壁１３３の下側の第４流路１２８を通過してしまい、第３管路１１３をフラッシングできないおそれがある。しかし、本実施形態の三方活栓は、溝部１２１における第１流路１２３である斜面の延長線及び第２流路１２４である斜面の延長線が、隔壁１３３の側面の最下端に達するように設計されている。このため、第１管路１１１から第１流路１２３により第３管路１１３に向かう薬液の流れは、隔壁１３３の側面に当たり、隔壁１３３に沿って第３流路１２７の第１部分１３１内に侵入しやすくなる。また、第２部分１３２からの薬液の流れは、第２流路１２４に当たり、第２管路１１２側へ流れやすくなる。このため、第３管路１１３を通る薬液の量を十分に確保することができる。
【００４０】
なお、図６に示すように、栓体１０２を第１の位置とした状態において、溝部１２１における第１流路１２３を構成する部分の第３管路側１１３側の端部（上端部）１２３ａは、第３流路１２７の第１の部分１３１を本体１０１内に延長した範囲に位置するようにすることができる。第１流路１２３の上端部１２３ａが、第１の部分１３１を延長した範囲内に位置することにより、第１流路１２３から第３流路１２７へ流れる流量を十分に確保することができる。同様に、栓体１０２を第１の位置とした状態において、溝部１２１における第２流路１２４を構成する部分の第３管路側１１３側の端部（上端部）１２４ａは、第３流路１２７の第２の部分１３２を本体１０１内に延長した範囲に位置するようにすることができる。
【００４１】
また、図７に示すように、栓体１０２を第１の位置とした場合に、溝部１２１における第１流路１２３及び第２流路１２４となる部分は、隔壁１３３がある方向へ湾曲していてもよい。この場合にも、栓体１０２を第１の位置とした状態において、溝部１２１における第１流路１２３を構成する部分の上端部１２３ａは、第３流路１２７の第１の部分１３１を本体１０１内に延長した範囲に位置するようにすることができる。このような構成とすることで、栓体１０２を第１の位置とした場合に、第１流路１２３の流量を十分に確保しやすくなり、第１流路１２３から第３流路１２７へ流れ込む流量及び第１流路１２３から第４流路１２８へ流れ込む流量を確保しやすくなる。また、栓体１０２を第２の位置とした場合に、第１管路１１１から第２管路１１２への流量も確保しやすくなる。
【００４２】
また、図６、図７に示すように、第１流路１２１の斜面の頂部付近における曲率の符号が正から負、又は負から正に変化する部分は１カ所であることが好ましい。曲率が変化する部分を１ヶ所とすることにより、第１流路１２１において段差を生じさせず、段差による滞留を生じにくくできる。
【００４３】
本実施形態の三方活栓は、第１流路１２３の延長線及び第２流路１２４の延長線が、隔壁１３３の側面の最下端に達するようにしたが、溝部１２１における第１流路１２３である部分の延長線及び第２流路１２４である部分の延長線が、隔壁１３３と交差するようにできればよく、隔壁１３３の側面の最下端よりも上側に達するようにすることともできる。この場合においても、第１流路１２３の延長線及び第２流路１２４の延長線が隔壁１３３の基端面に達している場合と比べて、第３管路１１３へ薬液を導くことができる。但し、第１流路１２３の延長線及び第２流路１２４の延長線が、隔壁１３３の側面の最下端に達している場合の方が、流路となる溝部１２１の深さを確保しやすく、流量の確保が容易となる。
【００４４】
図４に示すように、栓体１０２を第１の位置とした場合に、第１流路１２３の外側端部が、第１管路１１１の基端における下側の端部（端部下面）よりも若干下側に位置し、第２流路１２４の外側端部が、第２管路１１２の端部下面よりも若干下側に位置することが好ましい。術者が栓体１０２を操作する際に、完全にずれが生じないように位置を合わせることは困難であり、通常は０°より大きく±６°より小さい程度のずれが生じる。栓体１０２を完全に第１の位置に合わせた場合に、第１流路１２３と第１管路１１１との端部同士及び第２流路１２４と第２管路１１２との端部同士が完全に一致するようにすると、位置合わせの僅かなずれによっても、第１管路１１１の基端を塞ぐような段差が生じるおそれがある。第１管路１１１の基端を塞ぐような段差が生じると、流量が制限され、滞留の原因となる。一方、栓体１０２を完全に第１の位置に合わせた場合に、第１流路１２３の外側端部が第１管路１１１の端部下面よりも若干下側に位置するようにすれば、位置合わせがずれた場合においても第１管路１１１の端部を塞ぐような段差を生じにくくすることができる。第２流路１２４と第２管路１１２との関係においても同様である。
【００４５】
また、図５に示すように、栓体１０２を第２の位置とした場合に、第５流路１２９の第２管路１１２側の外側端部が、第２管路１１２の基端における上側の端部（端部上面）よりも若干上側に位置し、第５流路１２９の第１管路１１１側の外側端部が、第１管路１１１の基端における端部正面よりも若干上側に位置することが好ましい。このような配置とすることにより、栓体１０２が第２の位置から若干ずれた場合においても、第１管路１１１の端部を塞ぐような段差が生じにくく、第１管路１１１と第２管路１１２との間を第５流路１２９を介してスムーズに薬液が流れるようにできる。
【００４６】
本実施形態において、第３管路１１３に設ける弁体１３４は、スリットを有するスリット弁とすることができる。スリット弁とすることにより、第３管路１１３にルアシリンジ等のオスルアコネクタを挿入し、薬液を容易に注入することができる。また、オスルアコネクタを抜き取ることにより再び第３管路１１３の末端を閉止できる。
【００４７】
本実施形態において、第３管路１１３の末端を閉止する弁体１３４が外部ハウジング１３７と内部ハウジング１３６との間に挟み込まれている例を示したが、弁体１３４の固定方法はこれに限らずどのようにしてもよい。また、外部ハウジング１３７にカプラを係合するためのねじ山１３８が設けられている構成としたが、ねじ山１３８が無い構成としてもよい。第３管路１１３は、薬液等の注入及び末端の閉止ができれば、ニードルレスコネクタ以外のコネクタとすることもできる。例えば、スリットの無い弁体を設け、注射針を用いて薬液を注入する構成とすることができる。また、図８に示すように、ルアシリンジ等が接続できる単純なメスコネクタとすることも可能である。
【００４８】
本実施形態において、第１管路１１１がメスルアコネクタであり、第２管路１１２がオスルアコネクタである例を示したが、第１管路１１１及び第２管路１１２はどのようなコネクタとしてもよい。例えば、メスルアコネクタとオスルアコネクタを入れ替えても、両方をオスルアコネクタ又はメスルアコネクタとしてもよい。また、コネクタではなく、パイプ等と直結されていてもよい。本実施形態において、上流側の管路は、本体部に向かって次第に縮径しているようにすることができる。このような構成とすることにより、上流側の管路内における液の滞留を生じにくくすることができる。
【００４９】
本実施形態において、医療用活栓が三方活栓である例を示したが、三方活栓に限らず、薬液の注入を行う分岐を有している医療用活栓を同様の構成とすることができる。例えば、第３管路と反対側に第４管路が設けられた構成とすることもできる。
【産業上の利用可能性】
【００５０】
本実施形態の医療用活栓は、管路内における薬液の滞留が生じにくく、輸液回路等の医療用回路に接続する医療用活栓として有用である。
【符号の説明】
【００５１】
１０１      本体
１０２      栓体
１０５      ハンドル
１１１      第１管路
１１２      第２管路
１１３      第３管路
１２１      溝部
１２３      第１流路
１２４      第２流路
１２７      第３流路
１２８      第４流路
１２９      第５流路
１３１      第１部分
１３２      第２部分
１３３      隔壁
１３４      弁体
１３５      縮径部
１３６      内部ハウジング
１３７      外部ハウジング
１３８      ねじ山
【図１】
2017150125.tif 000003
【図２】
2017150125.tif 000004
【図３】
2017150125.tif 000005
【図４】
2017150125.tif 000006
【図５】
2017150125.tif 000007
【図６】
2017150125.tif 000008
【図７】
2017150125.tif 000009
【図８】
2017150125.tif 000010
【国際調査報告】
2017150125.tif 000011
2017150125.tif 000012